(57)【要約】【課題】部品バラツキによる片ボケや偏心コマ収差の発生が抑制され、ズーム比が１０倍程度と大きく、広角端での画角が７７°前後で、ぶれ補正機能が搭載されたズームレンズ系を提供する。【解決手段】物体側から像側へ正パワーの第１レンズ群、負パワーの第２レンズ群、正パワーのレンズ群を１つ以上含む後続レンズ群を備え、第２レンズ群が物体側に凸面を向けた負メニスカス形状で１つ以上の非球面を有する単レンズ素子を最物体側に含み、ズーミング時に全てのレンズ群が光軸に沿って移動し、後続レンズ群の１つが光軸に対して垂直方向に移動し、条件：１＜ＢＦW／２Ｙ、７０＜ωW＜８５、９＜ｆT／ｆW＜１２、１．６＜ｎｄ４＜２．２（ＢＦW：広角端でのバックフォーカス、Ｙ：最大像高、ωW：広角端での画角、ｆT、ｆW：望遠端、広角端での全系の焦点距離、ｎｄ４：第２レンズ群の最物体側単レンズ素子のｄ線に対する屈折率）を満足するズームレンズ系。【選択図】図１
2009042261.tif 000002
【特許請求の範囲】
【請求項１】
物体側から像側へと順に、
正のパワーを有する第１レンズ群と、
負のパワーを有する第２レンズ群と、
正のパワーを有するレンズ群を少なくとも１つ含む後続レンズ群とを備え、
前記第２レンズ群が、最物体側に、物体側に凸面を向けた負メニスカス形状の単レンズ素子を含み、
前記単レンズ素子が、少なくとも１つの非球面を有し、
広角端から望遠端へのズーミングに際して、レンズ系を構成する全てのレンズ群同士の間隔が変化するように、各レンズ群が光軸に沿って移動し、
前記後続レンズ群の１つが、光軸に対して垂直方向に移動するぶれ補正レンズ群であり、
以下の条件（ａ）、（ｂ）及び（ｃ）
１＜ＢＦW／２Ｙ    ・・・（ａ）
７０＜ωW＜８５    ・・・（ｂ）
９＜ｆT／ｆW＜１２    ・・・（ｃ）
を満足すると同時に、以下の条件（１）
１．６＜ｎｄ４＜２．２    ・・・（１）
を満足する、ズームレンズ系：
ここで、
ＢＦW：広角端でのバックフォーカス、
Ｙ：最大像高
ωW：広角端での画角（°）、
ｆT：望遠端での全系の焦点距離、
ｆW：広角端での全系の焦点距離、
ｎｄ４：第２レンズ群の最物体側に位置する、物体側に凸面を向けた負メニスカス形状の単レンズ素子のｄ線に対する屈折率
である。
【請求項２】
以下の条件（２）を満足する、請求項１に記載のズームレンズ系：
−０．８＜β2T＜−０．５    ・・・（２）
ここで、
β2T：第２レンズ群の望遠端での倍率
である。
【請求項３】
前記後続レンズ群が、物体側から像側へと順に、
物体側に位置する正の第３ａレンズ群及び像側に位置する負の第３ｂレンズ群を有し、正のパワーを有する第３レンズ群と、
正のパワーを有する第４レンズ群とを含み、
前記ぶれ補正レンズ群が、第３ｂレンズ群である、請求項１に記載のズームレンズ系。
【請求項４】
以下の条件（３）を満足する、請求項１に記載のズームレンズ系：
−２．０＜ＳＦ１＜−１．１    ・・・（３）
ただし、
ＳＦ１＝（ＲL4re＋ＲL4fr）／（ＲL4re−ＲL4fr）
ここで、
ＳＦ１：第２レンズ群に含まれる単レンズ素子の形状因子、
ＲL4fr：第２レンズ群に含まれる単レンズ素子の物体側面の光軸近傍の曲率半径、
ＲL4re：第２レンズ群に含まれる単レンズ素子の像側面の光軸近傍の曲率半径
である。
【請求項５】
以下の条件（４）を満足する、請求項１に記載のズームレンズ系：
０．３０＜ＳＦ２＜０．９０    ・・・（４）
ただし、
ＳＦ２＝（ＲG3re＋ＲG3fr）／（ＲG3re−ＲG3fr）
ここで、
ＳＦ２：ぶれ補正レンズ群の形状因子、
ＲG3fr：ぶれ補正レンズ群の最物体側面の光軸近傍の曲率半径、
ＲG3re：ぶれ補正レンズ群の最像側面の光軸近傍の曲率半径
である。
【請求項６】
ぶれ補正レンズ群が、２枚の単レンズ素子を接合した接合レンズ素子で構成され、該ぶれ補正レンズ群の最物体側面が非球面である、請求項１に記載のズームレンズ系。
【発明の詳細な説明】
【技術分野】
【０００１】
本発明は、ズームレンズ系に関する。特に本発明は、部品バラツキによる片ボケや偏心コマ収差の発生が抑制され、ぶれ補正機能を搭載した、例えばデジタル一眼レフレックスカメラ等のカメラ用のズームレンズ系に関する。
【背景技術】
【０００２】
従来からの消費者のニーズに応えるべく、例えばズーム比が１０倍程度、広角端での画角が７７°前後のカメラ用ズームレンズ系が種々提案されている。
【０００３】
例えば特許文献１には、物体側より順に正の第１レンズ群、負の第２レンズ群、正の第３レンズ群、正の第４レンズ群を有し、広角端から望遠端への変倍は、第１群と第２群との空気間隔を大きく、第２群と第３群との、第３群と第４群との空気間隔を小さくし、第１、第３、第４群を物体方向へ移動させ、フォーカシングは、第２レンズ群のみを移動させ、第２、第１、第４群の焦点距離、第２群の結像倍率に関する条件を規定した高変倍率ズームレンズが開示されている。
【０００４】
特許文献２には、物体側より順に第１レンズ群が正、第２レンズ群が負、第３レンズ群が正、第４レンズ群が正の４レンズ群で構成され、広角端から望遠端への変倍に際し、第１群と第２群との空気間隔を拡大させ、第２群と第３群との空気間隔を縮小させつつ、第１、第３、第４群が物体方向に移動し、フォーカシングは第２群を物体側に繰り出して行い、ズーム比とバックフォーカスと第１群移動量の関係、第１群移動量と第２群移動量との比、第２、第４群の焦点距離、第２群の倍率、第３、第４群の合成倍率に関する条件を規定した高変倍率ズームレンズが開示されている。
【０００５】
特許文献３には、物体側から順に正の第１レンズ群、負の第２レンズ群、正の第３レンズ群、正の第４レンズ群で構成され、第２、第４群の焦点距離に関する条件を規定した高変倍率ズームレンズが開示されている。
【０００６】
さらに近年に至っては、このようなズーム比及び画角に対する要求に加えて、ぶれ補正機能の搭載が望まれるようになってきている。
【０００７】
例えば特許文献４には、物体側から順に正の第１レンズ群、負の第２レンズ群、正の第３レンズ群、正の第４レンズ群を有し、広角端から望遠端への変倍に際し、第１群と第２群との間隔が増大、第２群と第３群との間隔が減少、第３群と第４群との間隔が変化し、第３群は、物体側から順に正の前群、負の後群からなり、該後群のみを光軸と略直交する方向へ移動させてぶれ発生時の像面補正を行い、第１群の焦点距離に関する条件を規定した防振機能を有するズームレンズが開示されている。
【０００８】
特許文献５には、物体側から順に正の第１レンズ群、負の第２レンズ群、正の第３レンズ群、正の第４レンズ群を有し、これらレンズ群同士の間隔を変化させて変倍を行い、第３群は、物体側から順に正の前群、負の後群からなり、該後群のみを光軸と直交する方向へ移動させて結像位置の変位を補正し、後群中の少なくとも１つのレンズ面は、近軸曲率半径を有する球面に比して、光軸から周辺へ向かって正の屈折力が強くなる又は負の屈折力が弱くなる形状の非球面であり、第１群の焦点距離に関する条件を規定した防振機能を有するズームレンズが開示されている。
【特許文献１】特開２００３−２４１０９７号公報
【特許文献２】特開２００６−２５９０１６号公報
【特許文献３】国際公開第２００６／０２５１３０号パンフレット
【特許文献４】特開２００６−１０６１９１号公報
【特許文献５】特開２００６−２８４７６３号公報
【発明の開示】
【発明が解決しようとする課題】
【０００９】
前記特許文献１〜５に開示のズームレンズは、最物体側の第１レンズ群が正のパワーを有する正リードのズームレンズ系であり、第２レンズ群の最物体側に、例えば凸面を向けた非球面層と負メニスカス形状の単レンズとを貼り合わせたレンズ素子を持ち、該非球面層は物体側に中心厚０．２ｍｍ程度の厚みを有している。このように、正リードのレンズ系において、第２レンズ群の最物体側負メニスカスレンズに非球面を構成すると、広角側での像面湾曲補正や、望遠側での球面収差補正に効果が大きい。
【００１０】
しかしながら、前記のごとき非球面を構成するために、ガラスで０．２ｍｍ程度の厚みの非球面層を製造することは、脆さや接着性の点から困難である。また、樹脂にて非球面層を形成する場合には、個別のレンズに精度良く樹脂非球面層を貼り合わせてレンズ素子を製造しなければならず、樹脂非球面層と球面レンズとの偏心バラツキの原因となり、非球面層が偏心したレンズでは、設計値どおりに補正効果が機能しない。すなわち、広角側では像面湾曲補正の効果が発現されずに片ボケが発生したり、望遠側では球面収差補正が正常に作用せずに偏心コマ収差が発生してしまう。
【００１１】
また、非球面では球面からの偏差に応じて収差が補正されるが、例えば屈折率が１．８程度の材料に対して、屈折率が１．５程度の材料で形成された非球面で収差の補正効果を得ようとすると、１．２倍程度偏差が大きくなるため、光軸上と周辺部とで厚みの変化が大きくなり、非球面の形成が困難である。
【００１２】
さらに、ガラスと樹脂との線膨張係数の違いから、樹脂非球面層を有するレンズは、ガラス製の非球面レンズよりも温湿度変化による耐性に劣り、貼り合わせ界面にクラック、異物、気泡等が混入したり、正のパワーを有する第１レンズ群の作用で望遠端では樹脂非球面層が拡大して見えるため、これらクラック、異物、気泡等が一層目立つという問題が生じる。
【００１３】
本発明は、背景技術における前記課題を解決するためになされたものであり、広角側での像面湾曲補正や、望遠側での球面収差補正の効果が大きいだけでなく、部品バラツキによる片ボケや偏心コマ収差の発生が抑制され、しかもズーム比が１０倍程度と大きく、広角端での画角が７７°前後で、かつ、ぶれ補正機能が搭載されたカメラ用ズームレンズ系を提供することを目的とする。
【課題を解決するための手段】
【００１４】
上記目的は、以下のズームレンズ系により達成される。すなわち本発明は、
物体側から像側へと順に、
正のパワーを有する第１レンズ群と、
負のパワーを有する第２レンズ群と、
正のパワーを有するレンズ群を少なくとも１つ含む後続レンズ群とを備え、
前記第２レンズ群が、最物体側に、物体側に凸面を向けた負メニスカス形状の単レンズ素子を含み、
前記単レンズ素子が、少なくとも１つの非球面を有し、
広角端から望遠端へのズーミングに際して、レンズ系を構成する全てのレンズ群同士の間隔が変化するように、各レンズ群が光軸に沿って移動し、
前記後続レンズ群の１つが、光軸に対して垂直方向に移動するぶれ補正レンズ群であり、
以下の条件（ａ）、（ｂ）及び（ｃ）
１＜ＢＦW／２Ｙ    ・・・（ａ）
７０＜ωW＜８５    ・・・（ｂ）
９＜ｆT／ｆW＜１２    ・・・（ｃ）
を満足すると同時に、以下の条件（１）
１．６＜ｎｄ４＜２．２    ・・・（１）
を満足する、ズームレンズ系
（ここで、
ＢＦW：広角端でのバックフォーカス、
Ｙ：最大像高
ωW：広角端での画角（°）、
ｆT：望遠端での全系の焦点距離、
ｆW：広角端での全系の焦点距離、
ｎｄ４：第２レンズ群の最物体側に位置する、物体側に凸面を向けた負メニスカス形状の単レンズ素子のｄ線に対する屈折率
である）
に関する。
【発明の効果】
【００１５】
本発明によれば、最物体側の第１レンズ群が正のパワーを有する正リードのズームレンズ系であり、第２レンズ群の最物体側に、物体側に凸面を向けた負メニスカス形状で、少なくとも１つの非球面を有する単レンズ素子を備えることから、広角側での像面湾曲補正や、望遠側での球面収差補正の効果が大きいだけでなく、部品バラツキによる片ボケや偏心コマ収差の発生が抑制され、しかもズーム比が１０倍程度と大きく、広角端での画角が７７°前後で、かつ、ぶれ補正機能が搭載されたカメラ用ズームレンズ系を提供することができる。
【発明を実施するための最良の形態】
【００１６】
（実施の形態１〜６）
図１は、実施の形態１に係るズームレンズ系のレンズ配置図である。図４は、実施の形態２に係るズームレンズ系のレンズ配置図である。図７は、実施の形態３に係るズームレンズ系のレンズ配置図である。図１０は、実施の形態４に係るズームレンズ系のレンズ配置図である。図１３は、実施の形態５に係るズームレンズ系のレンズ配置図である。図１６は、実施の形態６に係るズームレンズ系のレンズ配置図である。
【００１７】
図１、４、７、１０、１３及び１６は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１８】
各実施の形態に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを備え、広角端から望遠端へのズーミングに際して、これら第１レンズ群Ｇ１、第２レンズ群Ｇ２、第３レンズ群Ｇ３及び第４レンズ群Ｇ４すべてが、各々隣り合うレンズ群同士の間隔が変化するように、光軸に沿って移動する。
【００１９】
なお図１、４、７、１０、１３及び１６において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。また各図において、第２レンズ群Ｇ２の最像側レンズ面と第３レンズ群Ｇ３の最物体側レンズ面との間には、絞りＡが設けられている。
【００２０】
図１に示すように、実施の形態１に係るズームレンズ系において、第１レンズ群Ｇ１は、物体側から像側へと順に、物体側に凸面を向けた負メニスカス形状の第１レンズ素子Ｌ１と、両凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００２１】
実施の形態１に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、最物体側単レンズ素子である第４レンズ素子Ｌ４は、その物体側面が非球面である。
【００２２】
また実施の形態１に係るズームレンズ系において、第３レンズ群Ｇ３は、物体側から像側へと順に、両凸形状の第８レンズ素子Ｌ８と、両凸形状の第９レンズ素子Ｌ９と、像側に凸面を向けた負メニスカス形状の第１０レンズ素子Ｌ１０と、両凹形状の第１１レンズ素子Ｌ１１と、物体側に凸面を向けた正メニスカス形状の第１２レンズ素子Ｌ１２とからなる。これらのうち、第９レンズ素子Ｌ９と第１０レンズ素子Ｌ１０とは接合されており、第１１レンズ素子Ｌ１１と第１２レンズ素子Ｌ１２とは接合されている。また、第８レンズ素子Ｌ８と第９レンズ素子Ｌ９と第１０レンズ素子Ｌ１０とが、物体側に位置する正の第３ａレンズ群を構成し、第１１レンズ素子Ｌ１１と第１２レンズ素子Ｌ１２とを接合した接合レンズ素子が、像側に位置する負の第３ｂレンズ群を構成している。さらに、第１１レンズ素子Ｌ１１は、その物体側面が非球面である。
【００２３】
また実施の形態１に係るズームレンズ系において、第４レンズ群Ｇ４は、物体側から像側へと順に、両凸形状の第１３レンズ素子Ｌ１３と、物体側に凸面を向けた負メニスカス形状の第１４レンズ素子Ｌ１４と、物体側に凸面を向けた正メニスカス形状の第１５レンズ素子Ｌ１５とからなる。これらのうち、第１４レンズ素子Ｌ１４と第１５レンズ素子Ｌ１５とは接合されている。また、第１５レンズ素子Ｌ１５は、その像側面が非球面である。
【００２４】
実施の形態１に係るズームレンズ系において、広角端から望遠端へのズーミングに際して、第１レンズ群Ｇ１、第３レンズ群Ｇ３及び第４レンズ群Ｇ４は、それぞれ物体側へ移動し、第２レンズ群Ｇ２は、隣り合う第１レンズ群Ｇ１との間隔及び第３レンズ群Ｇ３との間隔が各々変化するように、像側に凸の軌跡を描いて移動する。
【００２５】
図４に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた平凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００２６】
実施の形態２に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、最物体側単レンズ素子である第４レンズ素子Ｌ４は、その物体側面が非球面である。
【００２７】
また実施の形態２に係るズームレンズ系において、第３レンズ群Ｇ３は、物体側から像側へと順に、両凸形状の第８レンズ素子Ｌ８と、両凸形状の第９レンズ素子Ｌ９と、像側に凸面を向けた負メニスカス形状の第１０レンズ素子Ｌ１０と、両凹形状の第１１レンズ素子Ｌ１１と、物体側に凸面を向けた正メニスカス形状の第１２レンズ素子Ｌ１２とからなる。これらのうち、第９レンズ素子Ｌ９と第１０レンズ素子Ｌ１０とは接合されており、第１１レンズ素子Ｌ１１と第１２レンズ素子Ｌ１２とは接合されている。また、第８レンズ素子Ｌ８と第９レンズ素子Ｌ９と第１０レンズ素子Ｌ１０とが、物体側に位置する正の第３ａレンズ群を構成し、第１１レンズ素子Ｌ１１と第１２レンズ素子Ｌ１２とを接合した接合レンズ素子が、像側に位置する負の第３ｂレンズ群を構成している。さらに、第１１レンズ素子Ｌ１１は、その物体側面が非球面である。
【００２８】
また実施の形態２に係るズームレンズ系において、第４レンズ群Ｇ４は、物体側から像側へと順に、両凸形状の第１３レンズ素子Ｌ１３と、物体側に凸面を向けた負メニスカス形状の第１４レンズ素子Ｌ１４と、両凸形状の第１５レンズ素子Ｌ１５とからなる。これらのうち、第１４レンズ素子Ｌ１４と第１５レンズ素子Ｌ１５とは接合されている。また、第１５レンズ素子Ｌ１５は、その像側面が非球面である。
【００２９】
実施の形態２に係るズームレンズ系において、広角端から望遠端へのズーミングに際して、第１レンズ群Ｇ１、第３レンズ群Ｇ３及び第４レンズ群Ｇ４は、それぞれ物体側へ移動し、第２レンズ群Ｇ２は、隣り合う第１レンズ群Ｇ１との間隔及び第３レンズ群Ｇ３との間隔が各々変化するように、像側に凸の軌跡を描いて移動する。
【００３０】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００３１】
実施の形態３に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、最物体側単レンズ素子である第４レンズ素子Ｌ４は、その物体側面が非球面である。
【００３２】
また実施の形態３に係るズームレンズ系において、第３レンズ群Ｇ３は、物体側から像側へと順に、両凸形状の第８レンズ素子Ｌ８と、両凸形状の第９レンズ素子Ｌ９と、像側に凸面を向けた負メニスカス形状の第１０レンズ素子Ｌ１０と、両凹形状の第１１レンズ素子Ｌ１１と、物体側に凸面を向けた正メニスカス形状の第１２レンズ素子Ｌ１２とからなる。これらのうち、第９レンズ素子Ｌ９と第１０レンズ素子Ｌ１０とは接合されており、第１１レンズ素子Ｌ１１と第１２レンズ素子Ｌ１２とは接合されている。また、第８レンズ素子Ｌ８と第９レンズ素子Ｌ９と第１０レンズ素子Ｌ１０とが、物体側に位置する正の第３ａレンズ群を構成し、第１１レンズ素子Ｌ１１と第１２レンズ素子Ｌ１２とを接合した接合レンズ素子が、像側に位置する負の第３ｂレンズ群を構成している。さらに、第１１レンズ素子Ｌ１１は、その物体側面が非球面である。
【００３３】
また実施の形態３に係るズームレンズ系において、第４レンズ群Ｇ４は、物体側から像側へと順に、両凸形状の第１３レンズ素子Ｌ１３と、物体側に凸面を向けた負メニスカス形状の第１４レンズ素子Ｌ１４と、両凸形状の第１５レンズ素子Ｌ１５とからなる。これらのうち、第１４レンズ素子Ｌ１４と第１５レンズ素子Ｌ１５とは接合されている。また、第１５レンズ素子Ｌ１５は、その像側面が非球面である。
【００３４】
実施の形態３に係るズームレンズ系において、広角端から望遠端へのズーミングに際して、第１レンズ群Ｇ１、第３レンズ群Ｇ３及び第４レンズ群Ｇ４は、それぞれ物体側へ移動し、第２レンズ群Ｇ２は、隣り合う第１レンズ群Ｇ１との間隔及び第３レンズ群Ｇ３との間隔が各々変化するように、像側に凸の軌跡を描いて移動する。
【００３５】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００３６】
実施の形態４に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、最物体側単レンズ素子である第４レンズ素子Ｌ４は、その物体側面が非球面である。
【００３７】
また実施の形態４に係るズームレンズ系において、第３レンズ群Ｇ３は、物体側から像側へと順に、両凸形状の第８レンズ素子Ｌ８と、両凸形状の第９レンズ素子Ｌ９と、像側に凸面を向けた負メニスカス形状の第１０レンズ素子Ｌ１０と、両凹形状の第１１レンズ素子Ｌ１１と、物体側に凸面を向けた正メニスカス形状の第１２レンズ素子Ｌ１２とからなる。これらのうち、第９レンズ素子Ｌ９と第１０レンズ素子Ｌ１０とは接合されており、第１１レンズ素子Ｌ１１と第１２レンズ素子Ｌ１２とは接合されている。また、第８レンズ素子Ｌ８と第９レンズ素子Ｌ９と第１０レンズ素子Ｌ１０とが、物体側に位置する正の第３ａレンズ群を構成し、第１１レンズ素子Ｌ１１と第１２レンズ素子Ｌ１２とを接合した接合レンズ素子が、像側に位置する負の第３ｂレンズ群を構成している。さらに、第１１レンズ素子Ｌ１１は、その物体側面が非球面である。
【００３８】
また実施の形態４に係るズームレンズ系において、第４レンズ群Ｇ４は、物体側から像側へと順に、両凸形状の第１３レンズ素子Ｌ１３と、物体側に凸面を向けた負メニスカス形状の第１４レンズ素子Ｌ１４と、両凸形状の第１５レンズ素子Ｌ１５とからなる。これらのうち、第１４レンズ素子Ｌ１４と第１５レンズ素子Ｌ１５とは接合されている。また、第１５レンズ素子Ｌ１５は、その像側面が非球面である。
【００３９】
実施の形態４に係るズームレンズ系において、広角端から望遠端へのズーミングに際して、第１レンズ群Ｇ１、第３レンズ群Ｇ３及び第４レンズ群Ｇ４は、それぞれ物体側へ移動し、第２レンズ群Ｇ２は、隣り合う第１レンズ群Ｇ１との間隔及び第３レンズ群Ｇ３との間隔が各々変化するように、像側に凸の軌跡を描いて移動する。
【００４０】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００４１】
実施の形態５に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、最物体側単レンズ素子である第４レンズ素子Ｌ４は、その像側面が非球面である。
【００４２】
また実施の形態５に係るズームレンズ系において、第３レンズ群Ｇ３は、物体側から像側へと順に、両凸形状の第８レンズ素子Ｌ８と、両凸形状の第９レンズ素子Ｌ９と、像側に凸面を向けた負メニスカス形状の第１０レンズ素子Ｌ１０と、両凹形状の第１１レンズ素子Ｌ１１と、物体側に凸面を向けた正メニスカス形状の第１２レンズ素子Ｌ１２とからなる。これらのうち、第９レンズ素子Ｌ９と第１０レンズ素子Ｌ１０とは接合されており、第１１レンズ素子Ｌ１１と第１２レンズ素子Ｌ１２とは接合されている。また、第８レンズ素子Ｌ８と第９レンズ素子Ｌ９と第１０レンズ素子Ｌ１０とが、物体側に位置する正の第３ａレンズ群を構成し、第１１レンズ素子Ｌ１１と第１２レンズ素子Ｌ１２とを接合した接合レンズ素子が、像側に位置する負の第３ｂレンズ群を構成している。さらに、第１１レンズ素子Ｌ１１は、その物体側面が非球面である。
【００４３】
また実施の形態５に係るズームレンズ系において、第４レンズ群Ｇ４は、物体側から像側へと順に、両凸形状の第１３レンズ素子Ｌ１３と、物体側に凸面を向けた負メニスカス形状の第１４レンズ素子Ｌ１４と、両凸形状の第１５レンズ素子Ｌ１５とからなる。これらのうち、第１４レンズ素子Ｌ１４と第１５レンズ素子Ｌ１５とは接合されている。また、第１５レンズ素子Ｌ１５は、その像側面が非球面である。
【００４４】
実施の形態５に係るズームレンズ系において、広角端から望遠端へのズーミングに際して、第１レンズ群Ｇ１、第３レンズ群Ｇ３及び第４レンズ群Ｇ４は、それぞれ物体側へ移動し、第２レンズ群Ｇ２は、隣り合う第１レンズ群Ｇ１との間隔及び第３レンズ群Ｇ３との間隔が各々変化するように、像側に凸の軌跡を描いて移動する。
【００４５】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた平凸形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されている。
【００４６】
実施の形態６に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、両凸形状の第６レンズ素子Ｌ６と、像側に凸面を向けた負メニスカス形状の第７レンズ素子Ｌ７とからなる。これらのうち、最物体側単レンズ素子である第４レンズ素子Ｌ４は、その物体側面が非球面である。
【００４７】
また実施の形態６に係るズームレンズ系において、第３レンズ群Ｇ３は、物体側から像側へと順に、両凸形状の第８レンズ素子Ｌ８と、両凸形状の第９レンズ素子Ｌ９と、像側に凸面を向けた負メニスカス形状の第１０レンズ素子Ｌ１０と、両凹形状の第１１レンズ素子Ｌ１１と、物体側に凸面を向けた正メニスカス形状の第１２レンズ素子Ｌ１２とからなる。これらのうち、第９レンズ素子Ｌ９と第１０レンズ素子Ｌ１０とは接合されており、第１１レンズ素子Ｌ１１と第１２レンズ素子Ｌ１２とは接合されている。また、第８レンズ素子Ｌ８と第９レンズ素子Ｌ９と第１０レンズ素子Ｌ１０とが、物体側に位置する正の第３ａレンズ群を構成し、第１１レンズ素子Ｌ１１と第１２レンズ素子Ｌ１２とを接合した接合レンズ素子が、像側に位置する負の第３ｂレンズ群を構成している。さらに、第１１レンズ素子Ｌ１１は、その物体側面が非球面である。
【００４８】
また実施の形態６に係るズームレンズ系において、第４レンズ群Ｇ４は、物体側から像側へと順に、両凸形状の第１３レンズ素子Ｌ１３と、物体側に凸面を向けた負メニスカス形状の第１４レンズ素子Ｌ１４と、両凸形状の第１５レンズ素子Ｌ１５とからなる。これらのうち、第１４レンズ素子Ｌ１４と第１５レンズ素子Ｌ１５とは接合されている。また、第１５レンズ素子Ｌ１５は、その像側面が非球面である。
【００４９】
実施の形態６に係るズームレンズ系において、広角端から望遠端へのズーミングに際して、第１レンズ群Ｇ１、第３レンズ群Ｇ３及び第４レンズ群Ｇ４は、それぞれ物体側へ移動し、第２レンズ群Ｇ２は、隣り合う第１レンズ群Ｇ１との間隔及び第３レンズ群Ｇ３との間隔が各々変化するように、像側に凸の軌跡を描いて移動する。
【００５０】
各実施の形態に係るズームレンズ系では、第２レンズ群Ｇ２以降像側に配置される後続レンズ群には、物体側から像側へと順に、正のパワーを有する第３レンズ群Ｇ３と正のパワーを有する第４レンズ群Ｇ４とが含まれ、さらに第３レンズ群Ｇ３は、物体側に位置する正の第３ａレンズ群と、像側に位置する負の第３ｂレンズ群とを有する。このように、第３レンズ群Ｇ３及び第４レンズ群Ｇ４に、共に正のパワーを持たせることで、両レンズ群のパワーの絶対値を比較的小さくすることできる。
【００５１】
各実施の形態に係るズームレンズ系は、広角端から望遠端へのズーミングに際して、第１レンズ群Ｇ１、第２レンズ群Ｇ２、第３レンズ群Ｇ３及び第４レンズ群Ｇ４すべてが、各々隣り合うレンズ群同士の間隔が変化するように、光軸に沿って移動するが、これらレンズ群のうち、第２レンズ群Ｇ２よりも像側に位置する後続レンズ群の１つが、光軸に対して垂直方向に移動するぶれ補正レンズ群であり、該ぶれ補正レンズ群を光軸に対して垂直方向に移動させることによって、手ぶれ、振動等による像のぶれを光学的に補正する。
【００５２】
ぶれ補正レンズ群としては、絞りに近接しており、光軸に対して垂直方向に移動させ易いという点から、正のパワーを有する第３レンズ群Ｇ３が好ましく、特に、第３レンズ群Ｇ３の後群となる、像側に位置する負の第３ｂレンズ群が、偏心コマ収差や偏心非点収差が小さい優れた結像特性を維持して像のぶれを補正することができる点から、より好ましい。
【００５３】
さらに、ぶれ補正レンズ群は、２枚の単レンズ素子を接合した接合レンズ素子で構成され、該ぶれ補正レンズ群の最物体側面が非球面であることが好ましい。このように、２枚の単レンズ素子を接合した接合レンズ素子でぶれ補正レンズ群を構成することで、レンズ素子の保持箇所を最小限にすることができるので、ぶれ補正レンズ群の小型化が可能で、さらに、最物体側面を非球面とすることで、非球面層を個別のレンズ毎に貼り合わせる複合型レンズに比べ、非球面の位置誤差による偏心コマ収差の発生をより充分に抑制することができる。
【００５４】
したがって、以上のことから、後続レンズ群である正のパワーを有する第３レンズ群Ｇ３において、像側に位置する負の第３ｂレンズ群が、２枚の単レンズ素子を接合した接合レンズ素子で構成され、その最物体側面が非球面であり、該第３ｂレンズ群が、例えば実施の形態１〜６に係るズームレンズ系のように、ぶれ補正レンズ群であることが特に好ましい。
【００５５】
以下、例えば実施の形態１〜６に係るズームレンズ系のように、物体側から像側へと順に、正のパワーを有する第１レンズ群と、負のパワーを有する第２レンズ群と、正のパワーを有するレンズ群を少なくとも１つ含む後続レンズ群とを備え、第２レンズ群が、最物体側に、物体側に凸面を向けた負メニスカス形状の単レンズ素子を含み、該単レンズ素子が、少なくとも１つの非球面を有し、広角端から望遠端へのズーミングに際して、レンズ系を構成する全てのレンズ群同士の間隔が変化するように、各レンズ群が光軸に沿って移動し、後続レンズ群の１つが、光軸に対して垂直方向に移動するぶれ補正レンズ群であるズームレンズ系（以下、このようなズームレンズ系を、基本構成を有するズームレンズ系という）が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００５６】
また、以下に説明するすべての条件は、特に断りのない限り、以下の３つの前提となる条件（ａ）、（ｂ）及び（ｃ）の下でのみ成立するものとする。
１＜ＢＦW／２Ｙ    ・・・（ａ）
７０＜ωW＜８５    ・・・（ｂ）
９＜ｆT／ｆW＜１２    ・・・（ｃ）
ここで、
ＢＦW：広角端でのバックフォーカス、
Ｙ：最大像高
ωW：広角端での画角（°）、
ｆT：望遠端での全系の焦点距離、
ｆW：広角端での全系の焦点距離
である。
【００５７】
基本構成を有するズームレンズ系は、以下の条件（１）を満足する。
１．６＜ｎｄ４＜２．２    ・・・（１）
ここで、
ｎｄ４：第２レンズ群の最物体側に位置する、物体側に凸面を向けた負メニスカス形状の単レンズ素子のｄ線に対する屈折率
である。
【００５８】
条件（１）は、第２レンズ群の最物体側に位置する単レンズ素子の屈折率の範囲を規定する式である。条件（１）の下限を下回ると、単レンズ素子の光軸上の厚みに対して周辺部の厚みが大きくなるが、低屈折率材料で該単レンズ素子を構成した場合、周辺部の負の屈折力が強くなりすぎるため、入射瞳径が大きくなる望遠側の像高が高い光線で、大きな像面湾曲が発生する。逆に条件（１）の上限を上回ると、単レンズ素子の光軸上の厚みと周辺部の厚みとの差が小さくなり、光軸付近の屈折力と周辺部の屈折力との変化が少なくなるため、広角側において第１レンズ群で発生する歪曲収差を、該単レンズ素子で補正する歪曲収差補正作用が低下してしまう。
【００５９】
なお、さらに以下の条件（１）’及び（１）’’ の少なくとも１つを満足することにより、より適切な歪曲収差の補正が可能となる。
１．６５＜ｎｄ４    ・・・（１）’
ｎｄ４＜２．０５    ・・・（１）’’
【００６０】
また基本構成を有するズームレンズ系は、以下の条件（２）を満足することが好ましい。
−０．８＜β2T＜−０．５    ・・・（２）
ここで、
β2T：第２レンズ群の望遠端での倍率
である。
【００６１】
条件（２）は、第２レンズ群の望遠端での倍率を規定する式である。条件（２）の下限を下回ると、第２レンズ群の近接物体へのフォーカシングに伴う望遠端での移動量が大きくなり、像面湾曲の変動が大きくなるため、近接物体の軸外の結像性能が低下する恐れがある。逆に条件（２）の上限を上回ると、第２レンズ群以降像側に配置されるレンズ群の望遠端での結像倍率が小さくなるため、第１レンズ群の焦点距離が長くなり、結果的に第１レンズ群の移動量が大きくなり、望遠端で第１レンズ群の倒れが起こり易くなる傾向がある。
【００６２】
なお、さらに以下の条件（２）’及び（２）’’ の少なくとも１つを満足することにより、フォーカシング時の近接物点の光学性能がさらに良好になり、望遠端での第１レンズ群の移動量をより小さくすることができ、望遠端での光学全長をより小さくすることが可能である。
−０．７２＜β2T    ・・・（２）’
β2T＜−０．６０    ・・・（２）’’
【００６３】
また基本構成を有するズームレンズ系は、以下の条件（３）を満足することが好ましい。
−２．０＜ＳＦ１＜−１．１    ・・・（３）
ただし、
ＳＦ１＝（ＲL4re＋ＲL4fr）／（ＲL4re−ＲL4fr）
ここで、
ＳＦ１：第２レンズ群に含まれる単レンズ素子の形状因子、
ＲL4fr：第２レンズ群に含まれる単レンズ素子の物体側面の光軸近傍の曲率半径、
ＲL4re：第２レンズ群に含まれる単レンズ素子の像側面の光軸近傍の曲率半径
である。
【００６４】
条件（３）は、第２レンズ群の最物体側に位置する単レンズ素子の形状因子を規定する式である。条件（３）の下限を下回ると、像面湾曲が補正不足となる恐れがある。逆に条件（３）の上限を上回ると、広角端での負の歪曲収差が過剰となる恐れがある。
【００６５】
なお、さらに以下の条件（３）’及び（３）’’ の少なくとも１つを満足することにより、像面湾曲の補正及び広角端での負の歪曲収差をより適切に行うことができる。
−１．９＜ＳＦ１    ・・・（３）’
ＳＦ１＜−１．３    ・・・（３）’’
【００６６】
また基本構成を有するズームレンズ系は、以下の条件（４）を満足することが好ましい。
０．３０＜ＳＦ２＜０．９０    ・・・（４）
ただし、
ＳＦ２＝（ＲG3re＋ＲG3fr）／（ＲG3re−ＲG3fr）
ここで、
ＳＦ２：ぶれ補正レンズ群の形状因子、
ＲG3fr：ぶれ補正レンズ群の最物体側面の光軸近傍の曲率半径、
ＲG3re：ぶれ補正レンズ群の最像側面の光軸近傍の曲率半径
である。
【００６７】
条件（４）は、ぶれ補正レンズ群の最物体側面の曲率半径と最像側面の曲率半径とで決定される、ぶれ補正レンズ群の形状因子を規定する式である。条件（４）の下限を下回ると、ぶれ補正時にぶれ補正レンズ群の偏心による偏心コマ収差の発生が大きくなり、さらにぶれ補正レンズ群の移動が小さくなり、補正のための移動制御が困難となる恐れがある。逆に条件（４）の上限を上回ると、ぶれ補正レンズ群の移動量に対する像の移動量が減少するため、ぶれ補正時にぶれ補正レンズ群の垂直方向への移動量が大きくなる恐れがある。
【００６８】
なお、さらに以下の条件（４）’及び（４）’’ の少なくとも１つを満足することにより、偏心コマ収差の発生が充分に抑制され、ぶれ補正レンズ群の移動がより制御し易い移動量となる。
０．３５＜ＳＦ２    ・・・（４）’
ＳＦ２＜０．８５    ・・・（４）’’
【００６９】
なお、各実施の形態に係るズームレンズ系を構成している各レンズ群は、入射光線を屈折により偏向させる屈折型レンズ（すなわち、異なる屈折率を有する媒質同士の界面で偏向が行われるタイプのレンズ）のみで構成されているが、レンズの種類はこれに限定されるものではない。例えば、回折により入射光線を偏向させる回折型レンズ、回折作用と屈折作用との組み合わせで入射光線を偏向させる屈折・回折ハイブリッド型レンズ、入射光線を媒質内の屈折率分布により偏向させる屈折率分布型レンズ等で、各レンズ群を構成してもよい。
【００７０】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2009042261.tif 000003
ここで、ｈは光軸からの高さ、ｃは曲率、κはコーニック定数、Ａ４、Ａ６、Ａ８及びＡ１０は、それぞれ４次、６次、８次及び１０次の非球面係数である。
【００７１】
図２は、実施例１に係るズームレンズ系の縦収差図である。図５は、実施例２に係るズームレンズ系の縦収差図である。図８は、実施例３に係るズームレンズ系の縦収差図である。図１１は、実施例４に係るズームレンズ系の縦収差図である。図１４は、実施例５に係るズームレンズ系の縦収差図である。図１７は、実施例６に係るズームレンズ系の縦収差図である。
【００７２】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００７３】
また図３は、実施例１に係るズームレンズ系の望遠端における横収差図である。図６は、実施例２に係るズームレンズ系の望遠端における横収差図である。図９は、実施例３に係るズームレンズ系の望遠端における横収差図である。図１２は、実施例４に係るズームレンズ系の望遠端における横収差図である。図１５は、実施例５に係るズームレンズ系の望遠端における横収差図である。図１８は、実施例６に係るズームレンズ系の望遠端における横収差図である。
【００７４】
各横収差図において、上段３つの収差図は、望遠端における像ぶれ補正を行っていない基本状態、下段３つの収差図は、第３ｂレンズ群を光軸と垂直な方向に０．４ｍｍ移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３ｂレンズ群の光軸とを含む平面としている。
【００７５】
なお、各ズームレンズ系の像ぶれ補正角は、実施例１が０．２２°、実施例２が０．３７°、実施例３が０．３２°、実施例４が０．２５°、実施例５が０．２６°、実施例６が０．２６°である。なお、撮影距離が∞で望遠端において、各ズームレンズ系が各々像ぶれ補正角だけ傾いた場合の像偏心量は、第３ｂレンズ群が光軸と垂直な方向に０．４ｍｍだけ平行移動するときの像偏心量に等しい。
【００７６】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ぶれ補正レンズ群である第３ｂレンズ群を光軸と垂直な方向に０．４ｍｍ平行移動させるだけで、いずれのズーム位置であっても、各ズームレンズ系は、各々前記値までの像ぶれ補正角に対して、結像特性を低下させることなく充分な像ぶれ補正を行うことが可能である。
【００７７】
（数値実施例１）
数値実施例１のズームレンズ系は、図１に示した実施の形態１に対応する。数値実施例１のズームレンズ系の面データを表１に、非球面データを表２に、各種データを表３に示す。
【００７８】
表  １（面データ）
面番号         r           d           nd         vd     有効径
物面             ∞          ∞
1         94.13800     2.00000     1.84666    23.8    28.000 
2         65.64200     7.50000     1.49700    81.6 
3      -1679.72800     0.20000 
4         58.43200     5.50000     1.60311    60.7 
5        113.68900        可変                        25.000
6*        81.73100     2.00000     1.67790    55.5    13.700 
7         11.75100     6.91000 
8        -28.27000     1.00000     1.83481    42.7 
9         48.12700     0.30000 
10         32.44000     4.50000     1.84666    23.8 
11        -48.80600     1.00000 
12        -20.29200     1.00000     1.80420    46.5 
13        -31.64700        可変                         8.650
14(絞り)           ∞     1.30000                         6.150
15         96.55700     2.20000     1.72916    54.7 
16        -80.55900     0.30000 
17         28.41100     2.90000     1.51610    63.3 
18        -28.75100     1.00000     1.80518    25.5 
19       -119.11000     2.94000 
20*       -60.47500     1.20000     1.80825    40.9 
21         26.54600     2.00000     1.84666    23.8 
22        131.19100        可変
23         18.94400     3.80000     1.48749    70.4     8.180 
24        -36.43000     0.20000 
25        306.24500     1.00000     1.83400    37.3 
26         19.48700     4.80000     1.51610    63.3 
27*      1036.52200        可変(BF)                     8.500
像面             ∞     0.00000
【００７９】
表  ２（非球面データ）
第6面
K= 0.00000E+00, A4= 1.56900E-05, A6=-3.82030E-08, A8= 6.04410E-11
第20面
K= 0.00000E+00, A4= 4.72820E-06, A6=-1.73100E-08, A8= 0.00000E+00
第27面
K= 0.00000E+00, A4= 6.10760E-05, A6= 1.18860E-07, A8= 1.13080E-09
【００８０】
表  ３（各種データ）
ズーム比     9.98859
広角      中間      望遠
焦点距離      14.5067   57.0799  144.9020
Ｆナンバー     3.61476   5.06069   5.92166
画角       76.9      21.5       8.6 
像高        11.0000   11.0000   11.0000
レンズ全長    132.5098  168.1242  192.5038
ＢＦ        35.2894   57.8077   70.5312 
d5           1.8980   40.9717   61.9966 
d13         31.6661   10.2794    1.7300 
d22          8.1063    3.5154    2.6960 
入射瞳位置     31.4534  136.4663  292.6633
射出瞳位置    -70.6310  -81.7710  -92.8556
前側主点位置   42.9806  153.7018  211.4443
後側主点位置  118.0031  111.0443   47.6018
【００８１】
（数値実施例２）
数値実施例２のズームレンズ系は、図４に示した実施の形態２に対応する。数値実施例２のズームレンズ系の面データを表４に、非球面データを表５に、各種データを表６に示す。
【００８２】
表  ４（面データ）
面番号         r           d           nd         vd     有効径
物面             ∞          ∞
1         86.26500     2.00000     1.84666    23.8    28.000 
2         63.51400     7.50000     1.49700    81.6 
3               ∞     0.20000
4         62.04200     5.50000     1.60311    60.7 
5        126.78500        可変                        25.000
6*        94.00400     2.00000     2.00069    25.5    13.700 
7         15.56600     6.91000 
8        -31.86700     1.00000     1.77250    49.6 
9         23.18600     0.30000 
10         22.83100     4.50000     1.84666    23.8 
11        -28.10000     1.00000 
12        -18.37200     1.00000     1.77250    49.6 
13        -42.82200        可変                         8.650
14(絞り)           ∞     1.30000                         6.150
15         89.38200     2.20000     1.72916    54.7 
16        -51.03300     0.30000 
17         29.50700     2.90000     1.51610    63.3 
18       -180.27100     1.00000     1.80518    25.5 
19       -325.68300     2.94000 
20*       -26.63300     1.20000     1.80825    40.9 
21        116.65100     2.00000     1.84666    23.8 
22        253.70800        可変
23         17.55000     3.80000     1.48749    70.4     8.180 
24        -36.78800     0.20000 
25        205.32600     1.00000     1.83400    37.3 
26         15.61600     4.80000     1.51610    63.3 
27*      -117.72800        可変(BF)                     8.500
像面             ∞     0.00000
【００８３】
表  ５（非球面データ）
第6面
K= 0.00000E+00, A4= 1.02300E-05, A6=-2.22800E-08, A8= 8.47620E-11
第20面
K= 0.00000E+00, A4= 1.43180E-05, A6=-2.09410E-08, A8= 0.00000E+00
第27面
K= 0.00000E+00, A4= 6.36590E-05, A6= 1.23000E-07, A8= 1.86170E-09
【００８４】
表  ６（各種データ）
ズーム比    10.00949
広角      中間      望遠
焦点距離      14.5163   56.9704  145.3008
Ｆナンバー     3.61555   5.08560   5.91744
画角       76.7      21.5       8.6 
像高        11.0000   11.0000   11.0000
レンズ全長    132.5302  166.9824  189.8367
ＢＦ        35.3149   57.6282   69.4314 
d5           1.8980   39.7084   60.4293 
d13         31.7917   10.4128    1.7300 
d22          7.9756    3.6830    2.6960 
入射瞳位置     31.0735  133.2510  289.3466
射出瞳位置    -73.6208  -83.0234  -92.5385
前側主点位置   42.7275  151.1285  206.5011
後側主点位置  118.0139  110.0120   44.5360
【００８５】
（数値実施例３）
数値実施例３のズームレンズ系は、図７に示した実施の形態３に対応する。数値実施例３のズームレンズ系の面データを表７に、非球面データを表８に、各種データを表９に示す。
【００８６】
表  ７（面データ）
面番号         r           d           nd         vd     有効径
物面             ∞          ∞
1         80.35700     2.00000     1.84666    23.8    28.000 
2         58.34500     7.50000     1.49700    81.6 
3        753.83100     0.20000 
4         58.44800     5.50000     1.60311    60.7 
5        127.50700        可変                        25.000
6*       121.88300     2.00000     1.80825    40.9    14.500 
7         11.65800     6.91000 
8        -28.19400     1.00000     1.83481    42.7 
9         39.11600     0.30000 
10         29.43300     4.50000     1.84666    23.8 
11        -36.29000     1.20000 
12        -18.52400     1.00000     1.80420    46.5 
13        -27.67200        可変                         8.650
14(絞り)           ∞     1.30000                         6.150
15         77.93700     2.20000     1.72916    54.7 
16        -91.50000     0.30000 
17         33.36900     2.90000     1.49700    81.6 
18        -24.42800     1.00000     1.80518    25.5 
19        -43.06000     2.94000 
20*       -33.52000     1.20000     1.80825    40.9 
21         20.35400     2.00000     1.84666    23.8 
22        141.69000        可変
23         16.09800     4.00000     1.48749    70.4     8.180 
24        -60.13300     0.20000 
25         86.34400     1.00000     1.83400    37.3 
26         12.17500     4.80000     1.51610    63.3 
27*       -92.11600        可変(BF)                     8.500
像面             ∞     0.00000
【００８７】
表  ８（非球面データ）
第6面
K= 0.00000E+00, A4= 1.94340E-05, A6=-4.45080E-08, A8= 5.74070E-11
第20面
K= 0.00000E+00, A4= 8.09570E-06, A6=-1.84240E-08, A8= 0.00000E+00
第27面
K= 0.00000E+00, A4= 5.12950E-05, A6= 4.56960E-08, A8= 2.23810E-09
【００８８】
表  ９（各種データ）
ズーム比    11.13497
広角      中間      望遠
焦点距離      13.0107   44.2349  144.8741
Ｆナンバー     3.57977   5.03930   5.89123
画角       83.1      27.5       8.6 
像高        11.0000   11.0000   11.0000
レンズ全長    132.5162  160.9696  192.5007
ＢＦ        35.2884   57.7883   70.5270 
d5           1.8980   32.5619   61.5977 
d13         32.0000   11.2676    1.7300 
d22          7.3798    3.4018    2.6960 
入射瞳位置     29.5176  101.9493  320.1809
射出瞳位置    -70.8618  -82.5582  -93.7466
前側主点位置   40.1395  122.4830  241.1696
後側主点位置  119.5055  116.7346   47.6266
【００８９】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【００９０】
表  １０（面データ）
面番号         r           d           nd         vd     有効径
物面             ∞          ∞
1         73.23000     2.00000     1.84666    23.8    28.000 
2         54.82200     8.00000     1.49700    81.6    27.000 
3        788.06500     0.20000                        27.000 
4         60.80400     5.00000     1.60311    60.7    25.000 
5        115.49500        可変                        25.000
6*        40.01400     2.00000     1.80825    40.9    13.700 
7         11.91200     6.91000                        10.000 
8        -40.51000     1.00000     1.83481    42.7    10.000 
9         19.00300     0.30000                        10.000 
10         17.73300     4.50000     1.84666    23.8    10.000 
11        -41.77300     1.54600                        10.000 
12        -19.40300     1.00000     1.80420    46.5    10.000 
13        -97.38100        可変                        10.000
14(絞り)           ∞     1.30000                         5.500
15        115.66600     2.20000     1.72916    54.7     7.500 
16        -47.54000     0.30000                         7.500 
17         24.27300     2.90000     1.48749    70.4     7.500 
18        -24.27300     1.00000     1.80518    25.5     7.500 
19        -77.81400     2.94000                         7.500 
20*       -47.04000     1.20000     1.80825    40.9     7.500 
21         29.74100     2.00000     1.84666    23.8     7.500 
22        269.58300        可変                         7.500
23         33.77800     2.69800     1.48749    70.4     8.200 
24        -47.93600     0.20000                         8.200 
25        171.41600     1.00000     1.83400    37.3     8.500 
26         18.24700     4.80000     1.51610    63.3     8.500 
27*       -32.96200        可変(BF)                     8.500
像面             ∞     0.00000
【００９１】
表  １１（非球面データ）
第6面
K= 0.00000E+00, A4= 4.09610E-06, A6= 8.23420E-09, A8=-1.14380E-10
A10= 3.47540E-13 
第20面
K= 0.00000E+00, A4= 2.72470E-06, A6= 9.93170E-09, A8= 0.00000E+00
A10= 0.00000E+00 
第27面
K= 0.00000E+00, A4= 2.29600E-05, A6= 2.14150E-09, A8= 4.03110E-10
A10= 0.00000E+00
【００９２】
表  １２（各種データ）
ズーム比     9.98906
広角      中間      望遠
焦点距離      14.5035   45.8601  144.8767
Ｆナンバー     3.66870   4.97704   5.92351
画角       77.2      26.7       8.6 
像高        11.0000   11.0000   11.0000
レンズ全長    119.8314  155.1718  189.4421
ＢＦ        35.2854   56.0943   70.5414
d5           1.8980   33.6144   61.1437 
d13         22.0000    8.5740    1.5000 
d22          5.6540    1.8950    1.2630 
入射瞳位置     31.2490  110.0149  319.7025
射出瞳位置    -36.1189  -24.9461  -23.4074
前側主点位置   42.8066  129.9231  241.1674
後側主点位置  105.3279  109.3116   44.5654
【００９３】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【００９４】
表  １３（面データ）
面番号         r           d           nd         vd     有効径
物面             ∞          ∞
1         72.85400     2.00000     1.84666    23.8    28.000 
2         54.45600     8.00000     1.49700    81.6    27.000 
3       1825.17800     0.20000                        27.000 
4         61.02600     5.00000     1.60311    60.7    25.000 
5        115.29000        可変                        25.000
6         68.26300     2.00000     1.80825    40.9    13.700 
7*        11.37000     6.91000                        10.000 
8        -36.10100     1.00000     1.83481    42.7    10.000 
9         27.97700     0.30000                        10.000 
10         22.90000     4.50000     1.84666    23.8    10.000 
11        -39.22200     1.02700                        10.000 
12        -24.89000     1.00000     1.80420    46.5    10.000 
13        -93.97500        可変
14(絞り)           ∞     1.30000                         6.150
15         89.26300     2.20000     1.72916    54.7     7.500 
16        -55.43500     0.30000                         7.500 
17         25.81000     2.90000     1.48749    70.4     7.500 
18        -25.81000     1.00000     1.80518    25.5     7.500 
19        -78.42900     2.94000                         7.500 
20*       -47.97200     1.20000     1.80825    40.9     7.500 
21         21.29800     2.00000     1.84666    23.8     7.500 
22        102.38400        可変                         7.500
23         19.04100     3.28100     1.48749    70.4     8.200 
24        -52.12100     0.20000                         8.200 
25         73.18400     1.00000     1.83400    37.3     8.500 
26         13.49900     4.80000     1.51610    63.3     8.500 
27*      -102.81500        可変(BF)                     6.963
像面             ∞     0.00000
【００９５】
表  １４（非球面データ）
第7面
K= 0.00000E+00, A4=-9.53570E-06, A6=-1.07510E-07, A8= 2.07070E-10
A10=-6.51010E-12 
第20面
K= 0.00000E+00, A4= 7.31760E-06, A6=-2.29970E-08, A8= 0.00000E+00
A10= 0.00000E+00 
第27面
K= 0.00000E+00, A4= 4.14700E-05, A6= 5.88080E-08, A8= 8.52180E-10
A10= 0.00000E+00
【００９６】
表  １５（各種データ）
ズーム比     9.96720
広角      中間      望遠
焦点距離      14.5109   45.9492  144.6332
Ｆナンバー     3.48919   4.72295   5.72676
画角       77.3      26.6       8.6 
像高        11.6150   10.8780   10.9360
レンズ全長    124.1713  157.5880  189.5262
ＢＦ        35.2869   55.1073   70.5412 
d5           1.8980   33.9545   59.5010 
d13         24.0100    9.7908    1.7300 
d22          7.9184    3.6774    2.6960 
入射瞳位置     29.6087  110.6075  307.2656
射出瞳位置    -73.3673  -80.7193  -93.8914
前側主点位置   41.2496  130.4002  229.1014
後側主点位置  109.6604  111.6388   44.8930
【００９７】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【００９８】
表  １６（面データ）
面番号         r           d           nd         vd     有効径
物面             ∞          ∞
1         73.83000     2.00000     1.84666    23.8    28.000 
2         54.36200     8.00000     1.49700    81.6    27.000 
3               ∞     0.20000                        27.000
4         52.43100     5.00000     1.60311    60.7    25.000 
5         92.34200        可変                        25.000
6*        93.79400     2.00000     1.80825    40.9    13.700 
7         12.31500     6.91000                        10.000 
8        -32.91300     1.00000     1.83481    42.7    10.000 
9         33.50000     0.30000                        10.000 
10         26.63200     4.50000     1.84666    23.8    10.000 
11        -34.69500     1.32500                        10.000 
12        -20.81400     1.00000     1.80420    46.5    10.000 
13        -49.34800        可変                        10.000
14(絞り)           ∞     1.30000                         6.150
15         85.72500     2.20000     1.72916    54.7     7.500 
16        -58.87800     0.30000                         7.500 
17         28.38000     2.90000     1.48749    70.4     7.500 
18        -28.38000     1.00000     1.80518    25.5     7.500 
19        -89.79400     2.94000                         7.500 
20*       -51.16500     1.20000     1.80825    40.9     7.500 
21         24.88400     2.00000     1.84666    23.8     7.500 
22        127.13500        可変                         7.500
23         20.99000     3.40200     1.48749    70.4     8.200 
24        -42.95500     0.20000                         8.200 
25        110.56300     1.00000     1.83400    37.3     8.500 
26         15.37300     4.80000     1.51610    63.3     8.500 
27*      -140.52700        可変(BF)                     8.500
像面             ∞     0.00000
【００９９】
表  １７（非球面データ）
第6面
K= 0.00000E+00, A4= 1.12640E-05, A6=-2.95670E-08, A8= 6.14150E-11
A10=-6.30770E-14 
第20面
K= 0.00000E+00, A4= 4.77400E-06, A6=-7.92040E-09, A8= 0.00000E+00
A10= 0.00000E+00 
第27面
K= 0.00000E+00, A4= 3.83150E-05, A6= 6.27290E-08, A8= 5.55990E-10
A10= 0.00000E+00
【０１００】
表  １８（各種データ）
ズーム比     9.99974
広角      中間      望遠
焦点距離      14.5088   45.9479  145.0842
Ｆナンバー     3.61554   4.77690   5.84444
画角       77.1      26.7       8.6 
像高        11.0000   11.0000   11.0000
レンズ全長    129.4990  157.0867  185.0461
ＢＦ        35.2801   53.8694   70.0310 
d5           1.8980   32.1895   55.1121 
d13         28.6905   11.8283    1.7300 
d22          8.1534    3.7225    2.6960 
入射瞳位置     30.9544  110.8201  284.2794
射出瞳位置    -71.7344  -78.7764  -92.7856
前側主点位置   42.5287  129.9679  202.5029
後側主点位置  114.9903  111.1389   39.9619
【０１０１】
以下の表１９に、各数値実施例のズームレンズ系における各条件の対応値を示す。
【０１０２】
表  １９（条件の対応値）
条件            実施例1   実施例2   実施例3   実施例4   実施例5   実施例6
(a)ＢＦW／２Ｙ  1.60      1.61      1.60      1.60      1.60      1.60
(b)ωW          76.90     76.70     83.10     77.20     77.30     77.10
(c)ｆT／ｆW     9.99      10.00     11.13     9.99      9.97      10.00
(1)ｎｄ４       1.68      2.00      1.81      1.81      1.81      1.81
(2)β2T         -0.66     -0.70     -0.70     -0.57     -0.62     -0.71
(3)ＳＦ１       -1.34     -1.40     -1.21     -1.85     -1.40     -1.30
(4)ＳＦ２       0.37      0.81      0.62      0.70      0.36      0.43
ＢＦW        35.29     35.31     35.29     35.29     35.29     35.28
Ｙ           11.00     11.00     11.00     11.00     11.00     11.00
【産業上の利用可能性】
【０１０３】
本発明に係るズームレンズ系は、特にデジタル一眼レフレックスカメラ等のカメラ用のズームレンズ系として好適である。
【図面の簡単な説明】
【０１０４】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【符号の説明】
【０１０５】
Ｇ１  第１レンズ群
Ｇ２  第２レンズ群
Ｇ３  第３レンズ群
Ｇ４  第４レンズ群
Ｌ１  第１レンズ素子
Ｌ２  第２レンズ素子
Ｌ３  第３レンズ素子
Ｌ４  第４レンズ素子
Ｌ５  第５レンズ素子
Ｌ６  第６レンズ素子
Ｌ７  第７レンズ素子
Ｌ８  第８レンズ素子
Ｌ９  第９レンズ素子
Ｌ１０  第１０レンズ素子
Ｌ１１  第１１レンズ素子
Ｌ１２  第１２レンズ素子
Ｌ１３  第１３レンズ素子
Ｌ１４  第１４レンズ素子
Ｌ１５  第１５レンズ素子
Ａ  絞り
Ｓ  像面
【図１】
2009042261.tif 000004
【図２】
2009042261.tif 000005
【図３】
2009042261.tif 000006
【図４】
2009042261.tif 000007
【図５】
2009042261.tif 000008
【図６】
2009042261.tif 000009
【図７】
2009042261.tif 000010
【図８】
2009042261.tif 000011
【図９】
2009042261.tif 000012
【図１０】
2009042261.tif 000013
【図１１】
2009042261.tif 000014
【図１２】
2009042261.tif 000015
【図１３】
2009042261.tif 000016
【図１４】
2009042261.tif 000017
【図１５】
2009042261.tif 000018
【図１６】
2009042261.tif 000019
【図１７】
2009042261.tif 000020
【図１８】
2009042261.tif 000021